(57)【要約】【課題】パレットのデッキ面の形状に影響されず、積載物に優しく、取り扱いが容易な落下防止具を提供すること。【解決手段】落下防止具１は、第１パレット１００のデッキ面１０２に載置される平板状の底部１０と、底部１０の各辺から下方へ延び出し、第１パレット１００の上側周縁１０４と対向する周壁部３０と、底部１０の各辺から上方へ延び出す側壁部１２とを備え、発泡樹脂材料で成形されたことを特徴とする。【選択図】図５
2020090312.tif 000002
【特許請求の範囲】
【請求項１】
パレットのデッキ面に載置される平板状の底部と、
前記底部の各辺から下方へ延び出し、前記パレットの周縁と対向する周壁部と、
前記底部の各辺から上方へ延び出す側壁部とを備え、
発泡樹脂材料で成形されたことを特徴とする落下防止具。
【請求項２】
前記側壁部の上面であって、前記パレットとは別のパレットが載上されるパレット載置面と、
前記側壁部の上面から上方へ向けて突出し、前記別のパレットの周縁と対向する突出部とを備えることを特徴とする請求項１に記載の落下防止具。
【請求項３】
前記側壁部の内面に形成され、仕切部材の端部が嵌脱される溝部を備えることを特徴とする請求項１又は請求項２に記載の落下防止具。
【請求項４】
前記周壁部に凹設され、前記パレットの情報表示面の上方側に配置される凹部を備えることを特徴とする請求項１乃至請求項３のいずれか一つに記載の落下防止具。
【発明の詳細な説明】
【技術分野】
【０００１】
本発明は、パレット向けの落下防止具に関するものである。
【背景技術】
【０００２】
従来より、パレットのデッキ面から積載物が落ちないようにする落下防止具に関し、種々の技術が提案されている。
【０００３】
例えば、下記特許文献１に記載の滑り止め具付き合成樹脂製パレットは、表面側デッキボード、裏面側デッキボード及び表面側デッキボードと裏面側デッキボードとを連結する筒状桁を有し、筒状桁の間にフォーク挿入孔が形成された合成樹脂製パレット本体と、該合成樹脂製パレット本体に取り付けられた滑り止め具とを有する滑り止め具付き合成樹脂製パレットに於いて、合成樹脂製パレット本体が表面側デッキボードの周辺に周辺板状部が形成され、該周辺板状部に上方に突出した突出部を有する滑り止め具が取り付けられていることを特徴とする。
【０００４】
そのような特徴の滑り止め具付き合成樹脂製パレットは、下記特許文献１の記載によれば、「合成樹脂製パレット本体の周辺板状部に上方に突出した突出部を有する滑り止め具が取り付けられていることにより、油で汚れた合成樹脂製コンテナーを運搬する際にも合成樹脂製コンテナーが表面側デッキボードから滑り落ちることを確実に防止することができる」とされる。
【０００５】
また、下記特許文献２に記載の運搬装置は、平面視矩形状の運搬用台と、該運搬用台の上面部の外周に沿って上方からの嵌め込みにより着脱自在に取付けられる平面視矩形枠状をしたズリ落ち防止部材とで構成され、ズリ落ち防止部材の４辺の下部に運搬用台の４外側面に嵌め込まれる嵌め込み部を設け、ズリ落ち防止部材の下部の嵌め込み部を運搬用台に嵌め込んだ状態でズリ落ち防止部材に設けた載置部を運搬用台の上面に載置し且つズリ落ち防止部材の４辺の上部に設けたズリ落ち防止部を運搬用台の上面から上方に突出させて成ることを特徴とする。
【０００６】
そのような特徴の運搬装置は、下記特許文献２の記載によれば、「矩形枠状のズリ落ち防止部材を上方からの嵌め込みにより運搬用台に着脱自在に取付けることができるので、ズリ落ち防止部材の有るパレットとしての使用形態と、ズリ落ち防止部材の無いパレット単独の使用形態がズリ落ち防止部材の上方からの嵌め込み、上方への引き抜きで簡単に選択できるものであり、また、矩形枠状をしているので、全体の強度が強くて載置物のズリ落ちを確実に防止できるものであり、また、ズリ落ち防止部材を上方から嵌め込むだけで取付けできるので、ズリ落ち防止部材を取付けるための特別な構造を運搬用台に備える必要がなくて、運搬用台として従来から使用されている一般的な形状の運搬用台をそのまま使用することが可能となるものであり、また、空の運搬用台を複数搬送したり、保管したりする際、ズリ落ち防止部材を取り外して空の運搬用台のみを従来と同様に複数段重ねて搬送したり、保管したりできるものである」とされる。
【先行技術文献】
【特許文献】
【０００７】
【特許文献１】特開平８−２６２７９号公報
【特許文献２】特開２００５−８２００号公報
【発明の概要】
【発明が解決しようとする課題】
【０００８】
しかしながら、上記特許文献１に記載の滑り止め具付き合成樹脂製パレットにおいて、表面側デッキボードが縦リブ及び横リブで格子状に形成されていると、滑り止め具の突出部は、その格子形状に合わせるように設ける必要があった。また、滑り止め具の突出部は、表面側デッキボードの周辺から上方に僅かに突出した状態で、ポリエチレン、ポリプロピレン又はＡＢＳ樹脂等で成形されている場合、運搬時に積載物に押されると、その積載物の重さによっては、破損する虞があった。
【０００９】
さらに、荷物が、表面側デッキボードを形成する縦リブ及び横リブの格子サイズよりも小さい場合には、その格子を通過して、合成樹脂製パレット本体内に落下することがある。そのため、そのようなサイズの荷物は、表面側デッキボード上への積載には不向きであった。この点は、上記特許文献２に記載の運搬装置において、運搬用台が縦リブ及び横リブで格子状に形成されている場合も、同様である。
【００１０】
また、上記特許文献２に記載の運搬装置において、金属製の角パイプ等が強度の観点からズリ落ち防止部材として使用された場合には、作業者がズリ落ち防止部材を運搬用台に取り付ける際に、ズリ落ち防止部材の重さが作業者の負担となると共に、運搬時には、ズリ落ち防止部材に当接した積載物が傷つく虞があった。
【００１１】
そこで、本発明は、上述した点を鑑みてなされたものであり、パレットのデッキ面の形状に影響されず、積載物に優しく、取り扱いが容易な落下防止具を提供することを課題とする。
【課題を解決するための手段】
【００１２】
この課題を解決するためになされた請求項１に係る発明は、落下防止具であって、パレットのデッキ面に載置される平板状の底部と、底部の各辺から下方へ延び出し、パレットの周縁と対向する周壁部と、底部の各辺から上方へ延び出す側壁部とを備え、発泡樹脂材料で成形されたことを特徴とする。
【００１３】
請求項２に係る発明は、請求項１に記載の落下防止具であって、側壁部の上面であって、パレットとは別のパレットが載上されるパレット載置面と、側壁部の上面から上方へ向けて突出し、別のパレットの周縁と対向する突出部とを備えることを特徴とする。
【００１４】
請求項３に係る発明は、請求項１又は請求項２に記載の落下防止具であって、側壁部の内面に形成され、仕切部材の端部が嵌脱される溝部を備えることを特徴とする。
【００１５】
請求項４に係る発明は、請求項１乃至請求項３のいずれか一つに記載の落下防止具であって、周壁部に凹設され、パレットの情報表示面の上方側に配置される凹部を備えることを特徴とする。
【００１６】
尚、パレットの情報表示面とは、例えば、ラベルの貼付、印刷、刻印、又は筆記等が行われることによって、パレットに関する情報が表示される面をいう。
【発明の効果】
【００１７】
請求項１に係る発明の落下防止具は、平板状の底部がパレットのデッキ面に載置され、底部の各辺から下方へ延び出した周壁部がパレットの周縁と対向することによって、パレットに取り付けられる。これにより、パレットのデッキ面の形状がどのようなものであっても、平板状の底部を介して、パレットのデッキ面に請求項１に係る発明の落下防止具が取り付けられ、パレットのデッキ面に荷物が積み載せられることが可能である。また、底部の各辺から上方へ延び出す側壁部によって、底部上の積載物が、パレットのデッキ面から落ちないようにすることが可能である。更に、請求項１に係る発明の落下防止具は、発泡樹脂材料で成形されているので、軽量であり、パレットのデッキ面と積載物との間の緩衝材となる。よって、請求項１に係る発明の落下防止具は、パレットのデッキ面の形状に影響されず、積載物に優しく、取り扱いが容易である。
【００１８】
請求項２に係る発明の落下防止具では、側壁部の上面であるパレット載置面に別のパレットが載上され、更に、別のパレットの周縁に対して、側壁部の上面から上方へ向けて突出した突出部が対向することによって、別のパレットが積まれる。これにより、請求項２に係る発明の落下防止具では、パレットと別のパレットとが段積みされるので、保管効率に優れる。
【００１９】
請求項３に係る発明の落下防止具では、側壁部の内面に形成された溝部に対して、仕切部材の端部が嵌脱される。これにより、仕切部材が底部上に取り付けられると、複数種類の荷物が仕切部材で仕分けされた状態で底部に積み載せられることが可能であり、底部上の積載物同士の接触を仕切部材で防ぐことが可能である。よって、請求項３に係る発明の落下防止具は、便利である。
【００２０】
請求項４に係る発明の落下防止具では、周壁部に凹設された凹部が、パレットの情報表示面の上方側に配置されるため、作業者は、上方からパレットの情報表示面を見ても、周壁部の凹部からパレットの情報表示面を見通すことが可能である。これにより、パレットに関する情報は、作業者や読取装置等によって、上方から読み取られることが可能となる。
【図面の簡単な説明】
【００２１】
【図１】本実施形態の落下防止具が上方から表された斜視図である。
【図２】同落下防止具が下方から表された斜視図である。
【図３】パレットが上方から表された斜視図である。
【図４】パレットに取り付けられた同落下防止具が下方から表された斜視図である。
【図５】同落下防止具を取り付けたパレットの段積み状態が表された断面斜視図である。
【図６】パレットに取り付けられた同落下防止具が上方から表された斜視図である。
【発明を実施するための形態】
【００２２】
以下、本発明に係る落下防止具について、具体化した本実施形態に基づき、図面を参照しつつ説明する。
【００２３】
（１）落下防止具の概要
図１に表されたように、本実施形態の落下防止具１は、平面視で略正方形状をなしている。従って、落下防止具１の幅寸法及び奥行き寸法は、同寸法である。尚、符号Ｄ１の方向は、落下防止具１の上下方向を示している。符号Ｄ２の方向は、落下防止具１の幅方向を示している。符号Ｄ３の方向は、落下防止具１の奥行き方向を示している。各方向Ｄ１，Ｄ２，Ｄ３は、互いに直交する関係にある。これらの点は、後述する図２、及び図４乃至図６においても、同様である。
【００２４】
落下防止具１は、発泡樹脂材料で金型成形されたものである。発泡樹脂材料には、例えば、発泡ポリプロピレン、発泡ポリエチレン、又は発泡ポリスチレン等がある。
【００２５】
図１に表されたように、落下防止具１は、底部１０、側壁部１２、及びパレット載置面１４等を備えている。底部１０は、平板状であり、平面視で略正方形状をなしている。側壁部１２は、底部１０の四辺２０から上方へ延び出しており、底部１０の上面周りを縁取って囲んでいる。これにより、側壁部１２の形状は、ロ字枠状である。
【００２６】
側壁部１２の上面２２は、平面であり、パレット載置面１４をなしている。側壁部１２の四隅には、側壁部１２の上面２２から上方へ向けて突出した突出部１６が形成されている。突出部１６は、側壁部１２の上面２２の四隅の縁端２４に沿って、略Ｌ字状に形成されている。
【００２７】
側壁部１２が有する４つの内方側面（以下、「内面」という。）２６には、複数の溝部１８が形成されている。複数の溝部１８は、相対する一対の内面２６において、対向する位置に設けられている。複数の溝部１８のうち、４つの溝部１８は、側壁部１２の各内面２６において、各内面２６の長尺方向の中央（つまり、方向Ｄ２又は方向Ｄ３の中央）に設けられている。更に、各内面２６の長尺方向の中央（つまり、方向Ｄ２又は方向Ｄ３の中央）の上方側では、目印２８が側壁部１２の上面２２に設けられている。尚、符号３２は、後述する凹部を示している。
【００２８】
図２表されたように、落下防止具１は、周壁部３０等を備えている。周壁部３０は、底部１０の四辺２０から下方へ延び出している。周壁部３０には、複数の凹部３２が形成されている。各凹部３２は、周壁部３０の長尺方向の中央（つまり、方向Ｄ２又は方向Ｄ３の中央）に設けられている。各凹部３２は、上方へ窪んだ凹形状であって、中央から外方へ向かうに連れて上方へ傾いている（後述する図４参照）。
【００２９】
周壁部３０には、内方へ向けて凸起した複数のリブ３４が設けられている。
【００３０】
（２）パレットの概要
図３に表された第１パレット１００は、上述した落下防止具１が取り付けられるものである。第１パレット１００は、平面視で略正方形状をなしている。従って、第１パレット１００のデッキ面１０２は、その幅寸法及び奥行き寸法が、同寸法である。
【００３１】
デッキ面１０２の外周縁である上側周縁１０４と、その上側周縁１０４に対向する下側周縁１０５との間にある、第１パレット１００の各側面には、一対の差込口１０６及び情報表示面１０８が形成されている。情報表示面１０８は、一対の差込口１０６の間に配設されている。情報表示面１０８には、ラベルの貼付、印刷、刻印、又は筆記等が行われることによって、第１パレット１００に関する情報が表示される。
【００３２】
（３）落下防止具の取付
落下防止具１は、図４及び図５に表されたようにして、第１パレット１００に取り付けられる。その際、落下防止具１の周壁部３０の内方において、第１パレット１００のデッキ面１０２が収められる。これにより、落下防止具１の底部１０は、第１パレット１００のデッキ面１０２に載置されると共に、第１パレット１００のデッキ面１０２の全面に接した状態になる。落下防止具１には、周壁部３０の各リブ３４を介して、第１パレット１００が圧接された状態になる。そのため、落下防止具１の周壁部３０の内方では、第１パレット１００の上側周縁１０４が周壁部３０に対向した状態になる。以上より、第１パレット１００には、落下防止具１がガタつくことなく嵌め込まれる。第１パレット１００の各情報表示面１０８の上方側には、落下防止具１の各凹部３２が配置される。
【００３３】
（４）落下防止具が取り付けられたパレットの段積み
第１パレット１００に取り付けられた落下防止具１は、図５に表されたようにして、上述した第１パレット１００と同じものである、第２パレット２００を積むことが可能である。その際、落下防止具１のパレット載置面１４に対して、第２パレット２００が置かれる。これにより、落下防止具１の各突出部１６の内方では、第２パレット２００の下側周縁２０２が各突出部１６に対向した状態になる。そのため、第２パレット２００は、方向Ｄ２又は方向Ｄ３へズレることが抑制される。尚、第２パレット２００の下側周縁２０２は、第１パレット１００の下側周縁１０５に相当するものである。
【００３４】
図５に表された第２パレット２００には、落下防止具１と同じものである、落下防止部２が取り付けられている。落下防止部２は、同様にして、第１パレット１００及び第２パレット２００と同じものである、別のパレットを積むことが可能である。
【００３５】
（５）落下防止具によるパレットの仕切り
落下防止具１には、図６に表されたようにして、仕切部材５０が取り付けられる。仕切部材５０は、十字状であり、４つの端部５２を有している。仕切部材５０の各端部５２は、側壁部１２の目印２８に隣接した溝部１８に嵌められる。これにより、落下防止具１の底部１０上は、側壁部１２及び仕切部材５０によって、４つの正方形空間で等しく区分けされる。目印２８は、仕切部材５０が取り付けられる際の目安となる。
【００３６】
（６）まとめ
以上詳細に説明した通り、本実施形態の落下防止具１は、平板状の底部１０が第１パレット１００のデッキ面１０２に載置され、底部１０の四辺２０から下方へ延び出した周壁部３０が第１パレット１００の上側周縁１０４と対向することによって、第１パレット１００に取り付けられる。
【００３７】
これにより、第１パレット１００のデッキ面１０２の形状がどのようなものであっても、平板状の底部１０を介して、第１パレット１００のデッキ面１０２に本実施形態の落下防止具１が取り付けられ、第１パレット１００のデッキ面１０２に荷物が積み載せられることが可能である。また、底部１０の四辺から上方へ延び出す側壁部１２によって、底部１０上の積載物が、第１パレット１００のデッキ面１０２から落ちないようにすることが可能である。更に、本実施形態の落下防止具１は、発泡樹脂材料で成形されているので、軽量であり、第１パレット１００のデッキ面１０２と積載物との間の緩衝材となる。よって、本実施形態の落下防止具１は、第１パレット１００のデッキ面１０２の形状に影響されず、積載物に優しく、取り扱いが容易である。
【００３８】
本実施形態の落下防止具１では、図５に表されたように、側壁部１２の上面２２であるパレット載置面１４に第２パレット２００が載上され、更に、第２パレット２００の下側周縁２０２に対して、側壁部１２の上面２２から上方へ向けて突出した突出部１６が対向することによって、第２パレット２００が積まれる。これにより、本実施形態の落下防止具１では、第１パレット１００と第２パレット２００とが段積みされるので、保管効率に優れる。
【００３９】
本実施形態の落下防止具１では、側壁部１２の内面２６に形成された溝部１８に対して、仕切部材５０の端部５２が嵌められる。これにより、仕切部材５０が底部１０上に取り付けられると、底部１０上が仕切部材５０で区切られる。そのため、複数種類の荷物が仕切部材５０で仕分けされた状態で底部１０に積み載せられることが可能であり、底部１０上の積載物同士の接触を仕切部材５０で防ぐことが可能である。よって、本実施形態の落下防止具１は、便利である。
【００４０】
本実施形態の落下防止具１では、周壁部３０に凹設された凹部３２が、第１パレット１００の情報表示面１０８の上方側に配置される。そのため、図６に表されたように、作業者は、上方から第１パレット１００の情報表示面１０８を見ても、周壁部３０の凹部３２から第１パレット１００の情報表示面１０８を見通すことが可能である。これにより、第１パレット１００に関する情報は、作業者や読取装置等によって、上方から読み取られることが可能となる。
【００４１】
ちなみに、本実施形態において、内面２６は、「側壁部の内面」の一例である。底部１０の四辺２０は、「底部の各辺」の一例である。第１パレット１００は、「パレット」の一例である。上側周縁１０４は、「パレットの周縁」の一例である。第２パレット２００は、「別のパレット」の一例である。下側周縁２０２は、「別のパレットの周縁」の一例である。
【００４２】
（７）変更例
尚、本発明は、本実施形態に限定されるものでなく、その趣旨を逸脱しない範囲で様々な変更が可能である。
例えば、突出部１６は、側壁部１２の上面２２において、側壁部１２の四隅以外の位置に設けられてもよいし、側壁部１２の厚み方向の中央又は中央付近に設けられてもよい。
【００４３】
また、仕切部材５０は、その端部５２が溝部１８から抜かれることによって、一又は複数の別の仕切部材に交換されてもよい。例えば、複数の平面板状の仕切部材が溝部１８を介して取り付けられた場合には、落下防止具１の底部１０上は、方向Ｄ２又は方向Ｄ３に沿って複数の矩形空間に区分けされる。
【００４４】
また、凹部３２は、落下防止具１が第１パレット１００に取り付けられた際に、第１パレット１００の情報表示面１０８の上方側に配置されるのであれば、周壁部３０において、その長尺方向の中央（つまり、方向Ｄ２又は方向Ｄ３の中央）以外の位置に設けられてもよい。
【符号の説明】
【００４５】
１    落下防止具
１０    底部
１２    側壁部
１４    パレット載置面
１６    突出部
１８    溝部
２０    底部の四辺
２２    側壁部の上面  
２４    側壁部の上面の縁端
２６    側壁部の内面
３０    周壁部
３２    凹部
５０    仕切部材
５２    仕切部材の端部
１００  第１パレット
１０２  第１パレットのデッキ面
１０４  第１パレットの上側周縁
１０８  第１パレットの情報表示面
２００  第２パレット
２０２  第２パレットの下側周縁
【図１】
2020090312.tif 000003
【図２】
2020090312.tif 000004
【図３】
2020090312.tif 000005
【図４】
2020090312.tif 000006
【図５】
2020090312.tif 000007
【図６】
2020090312.tif 000008